(57)【特許請求の範囲】
【請求項１】
蓄電装置と、
前記蓄電装置と負荷との間に設けられ、前記蓄電装置から前記負荷に供給する電力を制御可能な電力変換装置と、
前記蓄電装置の異常を検知する電池監視回路と
を備え、
前記電池監視回路によって前記蓄電装置の異常が検知された場合に、前記電力変換装置は、定格電流の１／１０の電流値以下で、前記蓄電装置に蓄えられている電力を前記負荷または当該電力変換装置が内部に備える内部負荷に供給する放電制御を行う蓄電システム。
【請求項２】
前記蓄電装置と前記電力変換装置とを電気的に接続および切断するスイッチング部を有し、
前記電池監視回路は、前記電力変換装置による前記放電制御が行われることによって、前記蓄電装置の電圧が所定値以下となった場合に、前記スイッチング部を作動させて、前記蓄電装置と前記電力変換装置との電気的接続を切断する請求項１に記載の蓄電システム。
【請求項３】
前記電力変換装置は、前記放電制御において、前記定格電流の１／１０の電流値以下の範囲で、負荷が要求する電流値または電力値で、前記蓄電装置に蓄えられている電力を前記負荷または当該電力変換装置の内部負荷に供給する請求項１または請求項２に記載の蓄電システム。
【請求項４】
前記蓄電装置の温度を検出する温度検出部を備え、
前記電力変換装置は、前記放電制御を行っている場合において、前記定格電流の１／１０の電流値以下の範囲で、前記蓄電装置の温度に応じて放電の電流値を変更する請求項１または請求項２に記載の蓄電システム。
【請求項５】
前記電力変換装置は、前記放電制御を行っている場合において、前記蓄電装置の温度が温度上限値に達した場合に、放電を停止する請求項１から請求項４のいずれかに記載の蓄電システム。
【請求項６】
前記蓄電装置は、直列に接続される複数の電池セルを備え、
各前記電池セルには、前記電池監視回路により制御される電圧均等化回路がそれぞれ設けられており、
前記電池監視回路は、前記電力変換装置による前記放電制御が行われることによって前記蓄電装置の電圧が所定値以下となった場合に、各前記電圧均等化回路を作動させる請求項１から請求項５のいずれかに記載の蓄電システム。
【請求項７】
前記電池監視回路は、前記電池セルの端子間電圧が予め設定されている正常電圧範囲外であった場合に、異常を検知する請求項１から請求項６のいずれかに記載の蓄電システム。
【発明の詳細な説明】
【技術分野】
【０００１】
本発明は、蓄電装置の保護に関するものである。
【背景技術】
【０００２】
従来、１または複数の二次電池を備える電池パックにおいて、電池異常が検知された場合に、二次電池への充電を停止するとともに、二次電池と放電抵抗とを接続して、二次電池を自動的に放電させることが知られている（例えば、特許文献１，２，３参照）。このように異常発生時には、電池パックに蓄電されているエネルギーを放出するので、安全な状態で電池パックを保管することが可能となる。
【特許文献１】特開２００１−２９８８６７号公報
【特許文献２】特開２００３−１４２１６２号公報
【特許文献３】実開平６−５７０５０号公報
【発明の開示】
【発明が解決しようとする課題】
【０００３】
しかしながら、上述した従来の方法では、放電電流が二次電池の端子間電圧と放電抵抗とによって決定されるため、放電電流が小さくて、安全な状態まで放電するのに時間がかかる、又は、二次電池の充電状態によっては、放電電流が許容される電流値よりも大きくなるおそれがあり、発熱等の観点から安全上、好ましくないという問題があった。
【０００４】
本発明は、上記問題を解決するためになされたもので、安全性の向上を図ることのできる蓄電システムを提供することを目的とする。
【課題を解決するための手段】
【０００５】
上記課題を解決するために、本発明は以下の手段を採用する。
本発明は、蓄電装置と、前記蓄電装置と負荷との間に設けられ、前記蓄電装置から前記負荷に供給する電力を制御可能な電力変換装置と、前記蓄電装置の異常を検知する電池監視回路とを備え、前記電池監視回路によって前記蓄電装置の異常が検知された場合に、前記電力変換装置は、定格電流の１／１０の電流値以下で、前記蓄電装置に蓄えられている電力を前記負荷または当該電力変換装置が内部に備える内部負荷に供給する放電制御を行う蓄電システムを提供する。
【０００６】
このような構成によれば、電池監視回路により蓄電装置の異常が検知された場合には、電力変換装置によって蓄電装置の放電が行われるので、蓄電装置の電圧を低下させることができる。これにより、安全な状態で蓄電装置を保管することができる。また、このときの放電電流は、予め設定されている電流値または電力値以下、或いは、予め設定されている上限値を超えない範囲内に抑制されるので、安全性を確保しながら蓄電装置の電圧を低下させることができる。
上記蓄電システムにおいて、前記電力変換装置は、前記放電制御において、負荷が要求する電流値または電力値で、前記蓄電装置に蓄えられている電力を前記負荷または当該電力変換装置の内部負荷に供給することとしてもよい。
上記蓄電システムにおいて、前記電池監視回路は、前記電池セルの端子間電圧が予め設定されている正常電圧範囲外であった場合、または、前記電池セルの温度が予め設定されている制限値以上であった場合に異常を検知することとしてもよい。
【０００７】
上記蓄電システムは、前記蓄電装置と前記電力変換装置とを電気的に接続および切断するスイッチング部を有し、前記電池監視回路は、前記電力変換装置による前記放電制御が行われることによって、前記蓄電装置の電圧が所定値以下となった場合に、前記スイッチング部を作動させて、前記蓄電装置と前記電力変換装置との電気的接続を切断することとしてもよい。
【０００８】
このような構成によれば、前記電力変換装置による前記放電制御が行われることによって、蓄電装置の電圧が所定値以下となった場合に、スイッチング部が作動されて蓄電装置と電力変換装置との電気的接続が切断されることとなる。
【０００９】
上記蓄電システムは、前記蓄電装置の温度を検出する温度検出部を備え、前記電力変換装置は、前記放電制御を行う場合において、前記定格電流の１／１０の電流値以下の範囲で、前記蓄電装置の温度に応じて放電の電流値を変更することとしてもよい。
【００１０】
このような構成によれば、蓄電装置の温度に応じて放電電流の電流値が変更されるので、温度が高い場合には放電電流の電流値を小さく設定することで、安全性を更に高めることができる。
【００１１】
上記蓄電システムにおいて、前記電力変換装置は、前記放電制御を行う場合において、前記蓄電装置の温度が温度上限値に達した場合に、放電を停止することとしてもよい。
【００１２】
このような構成によれば、温度上昇を抑制することができる。
【００１３】
上記蓄電システムにおいて、前記蓄電装置は、直列に接続される複数の電池セルを備え、各前記電池セルには、前記電池監視回路により制御される電圧均等化回路がそれぞれ設けられており、前記電池監視回路は、前記電力変換装置による前記放電制御が行われることによって前記蓄電装置の端子間電圧が所定値以下となった場合に、各前記電圧均等化回路を作動させることとしてもよい。
【００１６】
本発明の参考例としての一態様は、直列に接続される複数の電池セルを備える蓄電装置と、各前記電池セルに対応して設けられ、電池セル間のセル電圧を均等化する電圧均等化回路と、各前記電池セルの異常を検知する電池監視回路とを備え、前記電池監視回路は、前記電池セルの端子間電圧が予め設定されている正常電圧範囲外であった場合、または、前記電池セルの温度が予め設定されている制限値以上であった場合に、前記電池セルの異常を検知し、少なくとも異常を検知した前記電池セルに対応する前記電圧均等化回路を作動させ、予め設定されている電流値以下で、異常が検知された電池セルの放電を行う蓄電システムである。
【００１７】
このような構成によれば、電池セルの異常が検知された場合に、予め設定されている電流値以下で、少なくとも異常が検知された電池セルの放電が行われるので、電池セルの安全性を確保することができる。
【００１８】
上記参考例としての一態様に係る蓄電システムは、各前記電池セルの温度を検出する温度検出部を備え、前記電池監視回路は、前記電池セルの温度に応じて前記放電の電流値を制御することとしてもよい。
【００１９】
このような構成によれば、電池セルの温度に応じて放電電流の電流値が変更されるので、温度が高い場合には放電電流の電流値を小さく設定する、又は、放電を停止することで、安全性を更に高めることができる。
【００２０】
上記蓄電システムにおいて、前記電圧均等化回路としては、例えば、異常が検知された前記電池セルのエネルギーを、トランスを介して他の正常な電池セルに供給するトランス方式の回路を採用することができる。
また、上記態様は、可能な範囲で組み合わせて利用することができるものである。
【発明の効果】
【００２１】
本発明によれば、安全性を高めることができるという効果を奏する。
【発明を実施するための最良の形態】
【００２２】
以下に、本発明に係る蓄電システムの一実施形態について、図面を参照して説明する。
〔第１の実施形態〕
図１は、本発明の第１の実施形態に係る蓄電システムの概略構成を示した図である。
図１に示すように、本実施形態に係る蓄電システムは、蓄電装置１と、蓄電装置１と負荷３との間に設けられ、蓄電装置１から負荷３に供給する電力を制御可能な電力変換装置２と、蓄電装置１の異常を検知する電池監視回路４と、蓄電装置１と電力変換装置２とを電気的に接続および切断するスイッチング素子（スイッチング部）５とを備えている。
蓄電装置１、電池監視回路４、およびスイッチング素子５は、共通のケーシング内に収納され、電池ユニット１０を構成している。
【００２３】
蓄電装置１は、直列に接続される複数の電池セルを備えている。各電池セルには、電池セルの電圧を検出する電圧センサ（図示略）、温度を検出する温度センサ（図示略）がそれぞれ設けられている。電圧センサおよび温度センサの検出結果は、電池監視回路４へ与えられるようになっている。
【００２４】
電池監視回路４は、電圧センサから受信した電圧値が予め設定されている正常電圧範囲外であった場合に異常を検知し、異常検知信号を電力変換装置２に出力する。例えば、電池監視回路４は、端子間電圧が２．３Ｖ以上４．３Ｖ未満の電圧範囲から外れている電池セルが存在した場合に、異常検知信号を電力変換装置２に出力する。
【００２５】
更に、電池監視回路４は、温度センサから受信した温度が予め設定されている制限値以上であった場合に、異常を検知し、異常検知信号を電力変換装置２に出力する。例えば、電池監視回路４は、８０℃以上の電池セルが存在した場合に、異常検知信号を電力変換装置２に出力する。
なお、上述した電池セルの端子間電圧の正常電圧範囲並びに温度の制限値は、設計により任意に設定できるものとする。
【００２６】
電力変換装置２は、予め設定されているシーケンスに従って、電池ユニット１０の蓄電装置１に蓄えられている電力を負荷３に供給する。ここで、電力変換装置２は、一方向の電力変換装置であってもよいし、双方向の電力変換装置であってもよい。
電力変換装置２は、例えば、蓄電装置１からの電圧、電流を所望の値に制御する機能、蓄電装置１からの直流電力を３相交流電力に変換して出力するインバータ機能を備えている。この電力変換装置２は、複数の電池セルを備える蓄電装置１から電力を負荷３に供給するような蓄電システムに一般的に備えられている装置である。
【００２７】
例えば、本実施形態の蓄電システムが家庭用あるいは商用の電力貯蔵システムとして機能する場合、電力変換装置４は、電池ユニット１０の電力を直流から３相交流に変換するとともに、電圧、電流、力率等を所望の値に制御して、負荷３に供給する装置として機能する。また、本実施形態の蓄電システムが電気自動車等のバッテリとして機能する場合には、電力変換装置２は、電池ユニット１０の電力を直流から３相交流に変換するとともに、電圧、電流制御を行い、駆動モータ等の負荷３に供給する装置として機能する。
【００２８】
電力変換装置２は、通常時においては、予め設定されているシーケンスや負荷３の電力要求指令等に基づいて電池ユニット１０から電力を負荷３に供給する。また、電力変換装置２は、電池監視回路４から異常検知信号を受信した場合には、電池ユニット１０から負荷３への電力供給を停止し、その後、予め設定されている第１の電流値（例えば、定格電流の１／１０程度の電流値）以下で蓄電装置１から負荷３に電力を供給することにより、蓄電装置１の放電を行う。
【００２９】
次に、上述した構成を備える本実施形態の蓄電システムの作用について説明する。
電力変換装置２の制御の下、電池ユニット１０の蓄電装置１の電力は負荷３に供給される。また、このとき、電池ユニット１０内では、各電池セルの端子間電圧および温度が電圧センサおよび温度センサにより所定の時間間隔で検出され、電池監視回路４に送信される。
【００３０】
電池監視回路４は、各電池セルの端子間電圧が予め設定されている正常電圧範囲内であるか、および、各電池セルの温度が予め設定されている制限値未満であるかを判定する。この結果、いずれかの電池セルの電圧が正常電圧範囲を外れていた場合、或いは、いずれかの電池セルの温度が制限値以上であった場合には、電池監視回路４から異常検知信号が電力変換装置２に送信される。
【００３１】
電力変換装置２は、異常検知信号を受信すると、電池ユニット１０から負荷３への電力供給を停止し、その後、予め設定されている第１の電流値以下で蓄電装置１から負荷３に電力を供給することにより、蓄電装置１の放電を行う。
なお、この場合、負荷３に供給される電力は、通常時に比べて大幅に低下することとなるので、放電電流に応じて負荷３の接続数や、負荷３の運転状態或いは使用状態を制限することとしてもよい。
【００３２】
また、電力変換装置２により上述の放電が行われている期間においても、各電池セルの端子間電圧や温度が検出され、電池監視回路４に送信される。電池監視回路４は、電池セルの端子間電圧の平均値が予め設定されている放電停止電圧以下になると、電力変換装置２に対して放電停止信号を出力する。電力変換装置２は、放電停止信号を受信すると、放電を停止し、放電を停止した旨を示す放電終了信号を電池監視回路４に送信する。電池監視回路４は、電力変換装置２から放電終了信号を受信すると、スイッチング素子５を開状態とし、蓄電装置１と電力変換装置２との電気的接続を切断する。
【００３３】
以上、説明してきたように、本実施形態に係る蓄電システムによれば、電池異常が検知された場合には、電力変換装置２が蓄電装置１の放電を行い、蓄電装置１の電圧を低下させるので、蓄電装置１を安全性の高い状態で電力変換装置２と切り離すことができるとともに、安全性の高い電池状態で保管することが可能となる。
更に、放電電流を第１の電流値以下とするので、安全性を確保しながら蓄電装置１に蓄えられたエネルギーを放出させることが可能となる。
【００３４】
なお、本実施形態に係る蓄電システムでは、放電電流の値を安全が確保される値に制御することとしたが、これに代えて、安全性が確保される電力の範囲内で放電を行うこととしてもよい。また、これに代えて、予め設定されている上限値を超えない範囲で、負荷３の要求に応じた電流値または電力値で蓄電装置１から負荷３に対して電力を供給することとしてもよい。この場合において、電力範囲や、電流値または電力値の上限値は、設計により適宜設定できるものとする。
【００３５】
また、本実施形態では、各電池セルの端子間電圧の平均値が所定の値（例えば、３．１Ｖ）以下となった場合に、電池監視回路４が放電停止信号を送信することとした。これに代えて、複数の電池セルの中で、最も高い端子間電圧が所定の値（例えば、３．１Ｖ）以下となった場合、或いは、最も低い端子間電圧が所定の値（例えば、３．１Ｖ）以下となった場合に、電池監視回路４が放電停止信号を送信することとしてもよい。
また、電池セルではなく、蓄電装置１の端子間電圧が所定の電圧（例えば、３．１Ｖ×直列数）以下となった場合に、電池監視回路４が放電停止信号を送信することとしてもよい。
【００３６】
また、本実施形態では、蓄電装置１が直列接続される複数の電池セルを有する場合について説明したが、これに代えて、蓄電装置１が１つの電池セルにより構成されていてもよい。なお、本実施形態に係る蓄電システムにおいて、上記負荷３に代えて、蓄電装置１からアースに放電される構成としてもよい。
【００３７】
〔第２の実施形態〕
次に、本発明の第２の実施形態に係る蓄電システムについて図２を参照して説明する。
上述した第１の実施形態に係る蓄電システムでは、電池ユニット１０が電力変換装置２を介して負荷３に接続される構成とされていたが、本実施形態に係る蓄電システムは、電池ユニット１０が、電力変換装置２を介して負荷３および商用系統に接続される構成をとる。
このような構成とすることで、異常時における蓄電装置１の放電を行っている場合には、商用系統から負荷３に不足分の電力を供給することが可能となる。これにより、負荷３は、通常時と同様の運転状態或いは使用状態を維持することが可能となる。
なお、商用系統に代えて、或いは、商用系統に加えて、他の蓄電装置が接続される構成としてもよい。この場合には、他の蓄電装置からも不足分の電力が負荷３に供給されることとしてもよい。
【００３８】
また、本実施形態においては、電池セルの異常が検知された場合に、蓄電装置１の電力を負荷３に供給することとしたが、これに代えて、例えば、図３に示すように、蓄電装置１の電力を電力変換装置２の内部負荷６（例えば、ファン、ランプ、放電抵抗等）に供給することとしてもよい。この場合には、蓄電装置１の電力が電力変換装置２の内部負荷６によって消費されることとなる。
【００３９】
〔第３の実施形態〕
次に、本発明の第３の実施形態に係る蓄電システムについて図４を参照して説明する。
本実施形態に係る蓄電システムは、上述した第２の実施形態に係る蓄電システムと構成を略同じくするが、電池監視回路４から電力変換装置２に電池セルの温度情報が送信される点、この温度情報に基づいて電力変換装置２´が放電電流を変更する点で異なる。
以下、本実施形態に係る蓄電システムについて、上述した第２の実施形態に係る蓄電システムと異なる点について主に説明する。
【００４０】
電池監視回路４は、電池セルの異常を検知すると、異常検知信号と各電池セルの温度情報を電力変換装置２´に出力する。
電力変換装置２´は、いずれかの電池セルの温度が予め設定されている第１の設定値（例えば、６０℃）以上となった場合に、第１の電流値（例えば、定格電流の１／１０程度の値）よりも小さい第２の電流値（例えば、定格の１／２０、１／３０、１／４０、・・・と徐々に絞って温度が下がる電流）で放電を行う。このように、放電電流を小さくすることで、温度上昇を抑制し、電池セルの温度が第１の設定値よりも高い温度上限値（例えば、８０℃）に達することを回避することができる。
【００４１】
放電電流を第２の電流値以下とすることにより、電池セルの温度が徐々に低下し、全ての電池セルの温度が第１の設定値よりも小さい値である第２の設定値（例えば、５０℃）以下となった場合には、電力変換装置２´は放電電流を第１の電流値に戻して放電を行う。
一方、放電電流を第２の電流値以下に制御しても電池セルの温度上昇を抑制することができず、いずれかの電池セルの温度が温度上限値に達すると、電力変換装置２´は放電を停止し、放電終了信号を電池監視回路４に送信する。
電池監視回路４は、放電終了信号を受信すると、スイッチング素子５を開状態とし、電力変換装置２と蓄電装置１との電気的接続を切断する。
【００４２】
以上説明したように、本実施形態に係る蓄電システムによれば、電池セルの温度を監視しながら放電電流を制御するので、安全性を更に高めることが可能となる。
【００４３】
なお、本実施形態においては、いずれかの電池セルの温度が第１の設定値以上となった場合に、第２の電流値により放電を行うこととしたが、これに代えて、放電を一旦停止することにより、電池セルの温度低下を図ることとしてもよい。このように、蓄電装置１の放電を一度、停止させることにより、電池セルの温度上昇を効率的に抑制することができる。
【００４４】
また、本実施形態において、電池セルの温度が第２の設定値から第１の設定値まで上昇する期間においては、第１の電流値にて放電を行うこととしたが、これに代えて、この期間においては、負荷３に応じた電流値で放電を行うこととしてもよい。このように、第２の設定値から第１の設定値まで温度が上昇する期間においては、負荷３に応じた電流で蓄電装置１から負荷に電力を供給することで、安全性を確保しながら、効率的に放電を行うことができる。この結果、放電に要する時間を短縮することができる。
【００４５】
〔第４の実施形態〕
次に、本発明の第４の実施形態に係る蓄電システムについて図５および図６を参照して説明する。
上述した第１の実施形態に係る蓄電システムでは、電力変換装置２が作動することにより、蓄電装置１から負荷３に対して電力を放出することとしたが、本実施形態では、電力変換装置２を作動させるのではなく、各電池セルに対応して設けられているセルバランス回路（電圧均等化回路）７を作動させることにより、蓄電装置１の放電を行う。以下、本実施形態に係る蓄電システムについて説明する。
【００４６】
本実施形態では、電池ユニット１０´内において、各電池セルに対応してセルバランス回路７が設けられている。セルバランス回路７の一構成例を図６に示す。この図に示されるように、セルバランス回路７は、電池セルに並列に接続される抵抗１１と、抵抗１１に直列に接続されるスイッチング素子１２とを主な構成要素として備えている。
電池監視回路４´は、電池セルの異常を検知すると、スイッチング素子５を開状態とすることで、蓄電装置１と電力変換装置２との電気的接続を切断する。
【００４７】
続いて、電池監視回路４´は、全ての電池セルに対応して設けられているセルバランス回路７のスイッチング素子１２を閉状態とすることで、セルバランス回路７を作動させる。これにより、各電池セルからセルバランス回路７の抵抗１１に電流が流れ、放電が行われる。
電池監視回路４´は、各電池セルの端子間電圧が規定の電圧レベル（例えば３．１V）で均等化されると、セルバランス回路７のスイッチング素子１２を開状態とすることで、セルバランス回路７の作動を停止する。
【００４８】
以上、説明してきたように、本実施形態に係る蓄電システムによれば、電池セルの異常が検知された場合には、セルバランス回路７を作動させて放電を行わせるので、全ての電池セルの端子間電圧が同レベルになるまで放電を行わせることができる。
更に、各電池セルに対応して一般的に設けられている既存のセルバランス回路７を使用して放電を行うので、新たに構成要素を追加することなく、容易に実現することができる。
【００４９】
なお、上記実施形態では、図６に示したような抵抗１１とスイッチング素子１２とを用いたセルバランス回路７としたが、これに代えて、トランスを使用したセルバランス回路としてもよい。トランス型のセルバランス回路は、一の電池セルの電力を他の電池セルに移すことにより、電池セルの端子間電圧の均等化を行うものである。この場合には、異常が検知された電池セルの電力を他の正常な電池セルに移すことにより、異常が検知された電池セルの端子間電圧のみを低下させることが可能となる。
また、セルバランス回路７は、上述したような構成に限られず、公知のセルバランス回路を適宜採用することができる。この際、放電電流の値を制御可能なセルバランス回路を採用することが好ましい。このようなセルバランス回路を採用することで、安全性を高めながら放電を行うことが可能となる。
【００５０】
〔第５の実施形態〕
次に、本発明の第５の実施形態について図７を参照して説明する。
本実施形態に係る蓄電システムは、上述した第２の実施形態に係る蓄電システムにおいて、電池ユニット１０に代えて、図７に示した第４の実施形態に係る蓄電システムの電池ユニット１０´を採用している。
本実施形態に係る蓄電システムでは、例えば、電池監視回路４´によって電池異常が検知された場合、上述した第２の実施形態と同様に、電力変換装置２により負荷３への放電が行われる。この放電により蓄電装置１の電圧が所定値以下となると、電池監視回路４´から電力変換装置２に放電停止信号が送信される。電力変換装置２は、放電停止信号を受信すると、蓄電装置１の放電を停止し、電池監視回路４´に放電終了信号を送信する。
【００５１】
電池監視回路４´は、放電終了信号を受信すると、スイッチング素子５を開状態とすることで、蓄電装置１と電力変換装置２との電気的接続を切断し、その後、全てのセルバランス回路７を作動させる。これにより、各電池セルの端子間電圧が均等化される。全てのセルバランス回路７に電流が流れなくなると、電池監視回路４は、セルバランス回路７内のスイッチング素子１２を開状態として、セルバランス回路７の作動を停止する。
【００５２】
本実施形態に係る蓄電システムによれば、電力変換装置２による負荷３への蓄電装置１単位での放電と、セルバランス回路７を用いた電池セル単位での放電とを組み合わせることにより、上述した第４の蓄電システムに係る蓄電システムと比較して、短時間で蓄電装置１の放電を終了させることが可能となる。
更に、負荷３に対する放電の後に、セルバランス回路７を用いた放電を行うことにより、電池セルの端子間電圧のばらつきを解消することができる。
【００５３】
なお、本実施形態と同様に、第１の実施形態に係る蓄電システムの電池ユニット１０に代えて、図５に示した電池ユニット１０´を採用することとしてもよい。なお、放電の手順や方法については、上述と同様である。
また、図８に示すように、各電池セルの温度情報が電力変換装置２´に送信される第３の実施形態に係る蓄電システムにおいて、電池ユニット１０に代えて、図５に示した電池ユニット１０´を採用することとしてもよい。
この場合、例えば、いずれかの電池セルの温度が上述した第１の設定値に達するまでは、放電電流を制限することなく負荷３に応じた放電を行い、いずれかの電池セルの温度が第１の設定値に達した場合に、電力変換装置２´による放電を停止させて、更に、スイッチング素子５を開状態として、蓄電装置１と電力変換装置２´との電気的接続を切断した後に、セルバランス回路７を作動させて、各電池セルの端子間電圧のばらつきを解消させることとしてもよい。
【００５４】
また、上述したセルバランス回路７を、各電池セルの端子間電圧の均等化が図れた後も各電池セルの放電が可能な構成としてもよい。これにより、温度が第１の設定値に達した電池セル以外の電池セルについては、放電を引き続き実施させることが可能となる。この結果、温度が第１の設定値に達した電池セル以外の電池セルについては、端子間電圧を所望の値以下とすることができ、安全性をより高めることが可能となる。
【００５５】
以上、本発明の実施形態について図面を参照して詳述してきたが、具体的な構成はこの実施形態に限られるものではなく、本発明の要旨を逸脱しない範囲の設計変更等も含まれる。
【図面の簡単な説明】
【００５６】
【図１】本発明の第１の実施形態に係る蓄電システムの概略構成を示す図である。
【図２】本発明の第２の実施形態に係る蓄電システムの概略構成を示す図である。
【図３】図２に示した蓄電システムの変形例を示す図である。
【図４】本発明の第３の実施形態に係る蓄電システムの概略構成を示す図である。
【図５】本発明の第４の実施形態に係る蓄電システムの概略構成を示す図である。
【図６】図５に示したセルバランス回路の一構成例を示す図である。
【図７】本発明の第５の実施形態に係る蓄電システムの概略構成を示す図である。
【図８】本発明の第５の実施形態に係る蓄電システムの変形例を示す図である。
【符号の説明】
【００５７】
１  蓄電装置
２，２´  電力変換装置
３  負荷
４，４´  電池監視回路
５，１２  スイッチング素子
６  内部負荷
７  セルバランス回路
１０，１０´  電池ユニット
１１  抵抗
【図１】
0005517398.tif 000002
【図２】
0005517398.tif 000003
【図３】
0005517398.tif 000004
【図４】
0005517398.tif 000005
【図５】
0005517398.tif 000006
【図６】
0005517398.tif 000007
【図７】
0005517398.tif 000008
【図８】
0005517398.tif 000009